(57)【要約】【課題】水中の補修箇所の周囲の壁面に凹凸のある護岸での工事が可能で、工事中作業員及び養生期間のコンクリートを波力や流水力から保護し、作業効率の向上と質の高い補修作業を可能な護岸補修用防波壁体及び護岸の補修方法を提供する。【解決手段】防波壁部２は、外面が凸湾曲状で横幅方向両端が護岸５１の壁面５２に当接する側面閉塞パネル８に構成してあり、下側は底部を設けることで内部は作業空間になっている。側面閉塞パネル８は進退可能な複数本の閉塞材１２を縦方向に積重して構成してあり、係止手段によって係止可能になっている。防波壁部２は護岸５１に配置した油圧ショベル５３によって海中に支持し、アンカー１８によって護岸５１に係着する。【選択図】図１
2015031093.tif 000002
【特許請求の範囲】
【請求項１】
外面が凸状をなし、横幅方向両端が護岸の壁面に当接する防波壁部と、該防波壁部の下面を閉塞する底部とから構成して内部を作業空間とし、前記護岸に配置した支持手段により前記壁面に対向した状態に支持して係着手段により護岸に係着するようにしてなる護岸補修用防波壁体。
【請求項２】
前記防波壁部の横幅方向両端側は、各々の先端面が前記壁面に当接する進退可能な複数本の閉塞材を縦方向に積重した側面閉塞パネルに構成してあることを特徴とする請求項１記載の護岸補修用防波壁体。
【請求項３】
前記閉塞材は、前記防波壁部に設けた係止手段によって任意の進退位置に係止可能であることを特徴とする請求項２記載の護岸補修用防波壁体。
【請求項４】
前記閉塞材は、前記先端面を封止材で覆ってあることを特徴とする請求項２記載の護岸補修用防波壁体。
【請求項５】
前記閉塞材は、角材に形成し、上面及び下面にほぞ及び溝のいずれかを形成して上下の角材同士を摺動可能に嵌合してあることを特徴とする請求項２記載の護岸補修用防波壁体。
【請求項６】
前記底部には、シャッターにより開閉可能な複数の水抜き穴を形成してあることを特徴とする請求項１記載の護岸補修用防波壁体。
【請求項７】
外面を凸状に形成して横幅方向両端を護岸の壁面に当接させる防波壁部と、該防波壁部の下面に設けた底部とから構成して内部を作業空間とする護岸補修用防波壁体を、前記護岸の上方から支持しながら前記壁面に対向させた状態で係着手段により該護岸に係着し、該護岸補修用防波壁体内で護岸の補修作業を行うようにした護岸の補修方法。
【発明の詳細な説明】
【技術分野】
【０００１】
本発明は、港湾の岸壁、或いは海岸や河川の護岸が経年劣化により、又は波或いは流水の浸食によって破壊された場合に、短期間でかつ安全に補修作業を行うための護岸補修用防波壁体及び護岸の補修方法に関する。
【背景技術】
【０００２】
例えば、港湾の岸壁はコンクリートの経年劣化や波力によって次第に浸食され、壁面が抉られたように大きく破損される。このような事象は、河川の護岸でも生じているが、岸壁の破損だけに止まらず、地盤が抉られることにより道路の下に空洞が形成されて道路が崩壊するという事故が起きている。そこで、破損箇所の補修が必要とされるが、海中では波力、河川では流水力を受けることから作業員の安全を図りつつ短い工期で効率の良い作業を行うことが求められる。
【０００３】
例えば、護岸１の決めた位置に型枠３を固定し、型枠３と護岸１との間に生コンクリートを打設し、生コンクリートが硬化した後、型枠３を外して護岸１を補修する工法において、一定の間隔で固定パイプ８を固定した型枠３を決めた位置に配設した後、固定パイプ８に杭９を打ち込み、杭９を介して型枠３を所定の位置に固定し、型枠３と護岸１との間に生コンクリートを打設する護岸の補修工法が提案されている（特許文献１）。
【先行技術文献】
【特許文献】
【０００４】
【特許文献１】特許第２８６８７２５号特許公報
【発明の概要】
【発明が解決しようとする課題】
【０００５】
上述した特許文献１の補修工法は、構造が大型で固定的に設置するものであることから、コストが嵩む、工事に長期間を要する、補修する護岸に固定的に設置するため他の補修壁面の補修工事に対応できないといった幾多の欠点がある。
【０００６】
本発明は上述した従来技術の欠点に鑑みなされたもので、水中の補修箇所の周囲の壁面に凹凸のある護岸でも工事が可能であり、補修工事中作業員及び養生期間のコンクリートを波力や流水力から保護し、かつ作業効率の向上と質の高い補修作業を可能にし、また移動が可能で設置が簡単なので複数の補修壁面の補修工事に使用可能で、工費も大幅に低減することができる護岸補修用防波壁体及び護岸の補修方法を提供することを目的とする。
【課題を解決するための手段】
【０００７】
上述した課題を解決するための請求項１に係る本発明を構成する手段は、外面が凸状をなし、横幅方向両端が護岸の壁面に当接する防波壁部と、該防波壁部の下面を閉塞する底部とから構成して内部を作業空間とし、前記護岸に配置した支持手段により前記壁面に対向した状態に支持して係着手段により護岸に係着することからなる。
【０００８】
そして、前記防波壁板の横幅方向両端は、各々の先端面が前記壁面に当接する進退可能な複数本の閉塞材を縦方向に列設した側面閉塞パネルに構成するとよい。
【０００９】
そして、前記閉塞材は、前記防波壁部に設けた係止手段によって任意の進退位置に係止可能にするとよい。
【００１０】
また、前記閉塞材は、壁当接面を封止材で覆うとよい。
【００１１】
また、前記閉塞材は、角材に形成し、上面及び下面にほぞ又は溝のいずれかを形成して上下の角材同士を摺動可能に嵌合する構成にするとよい。
【００１２】
前記底部には、シャッターにより開閉可能な複数の水抜き穴を形成するとよい。
【００１３】
また、請求項７に係る発明を構成する手段は、外面を凸状に形成して横幅方向両端を護岸の壁面に当接させる防波壁部と、該防波壁部の下面に設けた底部とから構成して内部を作業空間とする護岸補修用防波壁体を、前記護岸の上方から支持しながら前記壁面に対向させた状態で係着手段により該護岸に係着し、前記作業空間内で前記護岸の補修作業を行うようにしたことにある。
【発明の効果】
【００１４】
本発明は上述の如く構成したから、下記の諸効果を奏する。
（１）護岸補修用防波壁体は、横幅方向両端が壁面に当接する防波壁部と底部とによって内部の作業空間が波力等の外力の影響を受けないようにしたから、作業員は波力がある海中や流速のある河川での作業も安全に効率的に行うことができるし、養生期間中のコンクリートを保護することができる。
（２）護岸補修用防波壁体は壁面に対向した状態で護岸の上から支持し、係着手段で護岸に固定する構成にしたから、海底や川底に支持用杭を打ち込むといった大掛かりな作業が不要であり、工事が簡単で工期も大幅に短縮できる。
（３）護岸補修用防波壁体は移動が可能であり、他の壁面の補修作業にも使用することができるので利用性に優れている。
（４）側面閉塞パネルは複数本の閉塞材を進退させて壁面に当接する構成にしたから、補修箇所を囲繞する壁面が凹凸状であっても、作業空間内への水の浸入を可及的に防止することができる。
（５）閉塞材は係止手段によって所望の進退位置に係止できるから、閉塞材を壁面に強く当接させて水密性を高めることができる。
（６）側面閉塞パネルは各閉塞材の先端面を封止材で覆った構成にしたから、壁面との水密性をより高めて作業空間への水の流入を抑制することができる。
（７）閉塞材は上面と下面にほぞ及び溝のいずれかを形成し、上下の閉塞材を摺動可能に嵌合する構成にしたから、側面閉塞パネルは外部からの水の浸入を可及的に防止することができる。
（８）底部にシャッターで開閉可能な水抜き穴を形成し、護岸補修用防波壁体を水中から引揚げる場合に作業空間内に溜まっている水を速やかに排出できるようにしたから、撤収作業を短時間で行うことができる。
【図面の簡単な説明】
【００１５】
【図１】本発明の実施の形態に係る護岸補修用防波壁体の側面図である。
【図２】図１中のＩＩ−ＩＩ矢示方向断面図である。
【図３】護岸補修用防波壁体の構成の一部を示す斜視図である。
【図４】護岸補修用防波壁体の中央縦断面図である。
【図５】側面閉塞パネルの部分拡大図である。
【図６】側面閉塞パネルを構成する閉塞材の部分拡大図である。
【図７】前支持材と閉塞材の部分斜視図である。
【図８】閉塞材を係止手段が解放した状態の説明図である。
【図９】閉塞材を係止手段でロックした状態の説明図である。
【発明を実施するための形態】
【００１６】
以下、本発明の実施の形態を図面に基づき詳述する。図において、１は護岸補修用防波壁体、２は該護岸補修用防波壁体１(以下、防波壁体１と称する。)を構成する防波壁部を示す。３は該防波壁部２を構成する上段梁材、４は該上段梁材３と同形に形成した下段梁材で、該各梁材３、４はＨ型鋼材により円弧部３Ａ（４Ａ）と、該円弧部３Ａ（４Ａ）の両端から前方に伸長する直線部３Ｂ（４Ｂ）とからなり、該直線部３Ｂ（４Ｂ）の先端面は護岸５１の壁面５２に当接する当接面３Ｃ（４Ｃ）になっている。５はＨ型鋼材からなる中段梁材で、該中段梁材５は円弧部５Ａからなり、直線部が無いことで上段梁材３及び下段梁材４よりも短い寸法になっている（図３参照）。
【００１７】
６、６、・・は上段梁材３と中段梁材５との間、中段梁材５と下段梁材４との間に縦方向に配設したＨ型鋼材からなる各段５本の縦支柱で、該各縦支柱６は周方向に等間隔に配設してある。７は上段梁材３と下段梁材４との間に設け、各縦支柱６に固着した防波壁板を示す。該防波壁板７は軽量化を図るためにＦＲＰ製板からなり、上下及び中間の梁材３、４、５に沿って張設することにより平面視で外側に凸湾曲面状をなすことで波力の影響を小さくしてあり、先端側７Ａ、７Ａの内面は後述する前支持材９に密接状態で固着してある。
【００１８】
８、８は防波壁部２を構成する左右の側面閉塞パネルを示す。該側面閉塞パネル８は、壁面５２の補修箇所５２Ａの周囲も殆どが平坦面でないことから、前記防波壁板７と壁面５２との間を閉塞して外側から海水が流入するのを防止するためのものである。９、９は各側面閉塞パネル８を構成する左右一対の前支持材を示す。該前支持材９、９は後述する閉塞材１２を挟持する間隔で上段梁材３と下段梁材４の間に立設してある。また、外側の前支持材９の内側面には不織布、フェルト等の多少の摺動性を有するシール材１０が全長に亘って貼着してあり、後述する閉塞材１２が密接することで水密性を高めてある。１１、１１は該前支持材９、９から後方に離間して上段梁材３と下段梁材４の間に立設した左右一対の後支持材を示し、該後支持材１１、１１も閉塞材１２を挟持する間隔で配置してある。
【００１９】
１２、１２、・・は前記一対の前支持材９，９と後支持材１１、１１の間に挟持された状態で縦方向に積重し、各々が矢示イ、ロ方向の前後方向に進退可能に配置した多数本の閉塞材を示す。該各閉塞材１２は壁面５２に当接する先端面１２Ａ、上面を上摺接面１２Ｂ、下面を下摺接面１２Ｃ、左右の側面を内側側面１２Ｄ及び外側側面１２Ｅとする角材からなっている。そして、最上段に位置する閉塞材１２を除く閉塞材１２の上摺接面１２Ｂにはほぞ１２Ｆ、最下段の閉塞材１２を除く閉塞材１２の下摺接面１２Ｃには溝１２Ｇが形成してあり、上下に位置する閉塞材１２、１２はほぞ１２Ｆと溝１２Ｇを摺動可能に嵌合して積重することにより水密性を高めてある。１２Ｈは各閉塞材１２の内側側面１２Ｄに鋸歯状に形成した係止用縦溝で、後述するロック片１３Ｃを歯合させるものである。
【００２０】
１３は壁面５２の凹凸面に合わせて進退させた各閉塞材１２を係止するための係止手段を示す。該係止手段１３は内側の前支持材９に閉塞材１２の位置に対応して縦方向に列設してあり、外側が解放した格納凹部１３Ａと、該格納凹部１３Ａに連通して前支持材９の内側側面に形成した作動穴１３Ｂと、該格納凹部１３Ａに矢示ハ、ニ方向に進退可能に収納され、外面を鋸歯状面１３Ｃ１に形成したロック片１３Ｃと、格納凹部１３Ａ内に設けられ、該ロック片１３Ｃを常時は閉塞材１２方向に付勢する一対の押圧ばね１３Ｄ、１３Ｄと、軸が前記作動穴１３Ｂに挿通され、該押圧ばね１３Ｄのばね力に抗してロック片１３Ｃを閉塞材１２から離間させるための引きノブ１３Ｅとから構成してある。
係止手段１３は上述の構成からなり、ロック片１３Ｃが閉塞材１２の係止用縦溝１２Ｈに歯合することで閉塞材１２は所定の位置に進退不能に係止される。
【００２１】
１４は最上段の閉塞材１２から最下段の閉塞材１２にかけて各閉塞材１２の先端面１２Ａを覆うように一体に設けた封止材で、該封止材１３は例えばゴム、不織布、フェルト等のクッション性素材からなり、閉塞材１２と壁面５２との間を密に閉塞するものである。
かくして、防波壁部２は、梁材３、４、５及び縦支柱６により支持された防波壁板７と、該防波壁板７から直線状に連接する左右の側面閉塞パネル８、８とから平面視で略U字状をなしている。
【００２２】
１５は防波壁部２の下側を閉塞することにより、防波壁部２内に作業空間１６を形成する底部を示し、該底部１５は適宜の大きさと形状に裁断した複数の鋼板を下段梁材４に支持させて半円状に敷設して構成してある。そして、底部１５には複数の水抜き穴１５Ａが形成してあり、各水抜き穴１５Ａは水平方向に回動可能なシャッター板１５Ｂで開閉可能に構成してある。
【００２３】
１７は防波壁板７を介して中段梁材５に固着した吊下げ用ブラケットで、該吊下げ用ブラケット１７には護岸５１上に配置した油圧ショベル５３のアーム５３Ａの先端を連結するようになっている。また、１８は防波壁板７を介して下段梁材４に固着した係着手段としてのアンカーで、該アンカー１８は壁面５２に穿設した支持孔に挿入することで、護岸補修用防波壁体１が水圧で搖動するのを防止している。なお、アンカー１８は上段梁材３及び／又は中段梁材５に設けてより安定性を高める構成にしてもよい。
【００２４】
本実施の形態からなる防波壁体１は上述の構成からなり、岸壁５１の補修箇所５２Ａに対向する状態にして護岸５１上から油圧ショベル５３で海中に吊り下げ、アーム５３Ａの油圧力で壁面５２に圧接させると共にアンカー１８で護岸に係着する。そして、壁面５２は補修箇所５２Ａの周囲が必ずしも平坦ではないから、作業空間１６内に海水が流入するのを防止する必要がある。そこで、先ず、防波壁部２は上下の梁材３、４の先端面３Ｃ、４Ｃを壁面５２に当接させ、アンカー１８を壁面５２に係着させることで防波壁体１の安定化を図る。
【００２５】
次に、引きノブ１３Ｅを引いてロック片１３Ｃを閉塞材１２から離間させ、閉塞材１２を進退させて先端面１２Ａを壁面５２に封止材１４を介して当接させた後、ロック片１３Ｃを歯合させて閉塞材１２を所望の位置に係止する。この手順で各閉塞材１２を順次壁面５２に当接させることにより、防波壁体１と壁面５２との間を閉塞する。
【００２６】
かくして、防波壁板７の先端側７Ａは側面閉塞パネル８の前支持材９に接着して外部からの海水の流入を防止し、閉塞材１２は壁面５２に当接した状態で係止手段１３によって保持されると共に、押圧ばね１３Ｄのばね力によって前支持材９にシール材１０を介して圧接された状態になるから、作業空間１６内に海水が浸入する事態を可及的に防止して補修作業に好適な環境を形成している。
【００２７】
なお、本実施の形態では防波壁部２を平面視で略U字状に形成したが、略Ｖ字状に形成してもよいのであり、本発明において防波壁部は波力や流水力を減衰或いは分散させることができる形状であればよい。
【００２８】
また、防波壁体１の大きさによるが、作業空間１６内に作業台或いは足場を設置してもよい。
【００２９】
また、防波壁部２の外側を目の細かい網で覆うことにより、波力で飛んでくる小石等から防波壁板７を保護する構成にしてもよい。
【００３０】
また、防波壁体１は油圧ショベル５３により吊り下げる例を示したが、クレーン車によって吊り下げてもよいことは勿論である。
【００３１】
また、防波壁体１は海底や川底に定置させて使用することも当然可能であるが、油圧ショベル５３等の支持手段により上方から支えることは必要である。
【００３２】
また、実施の形態において防波壁体１はアンカー１８により護岸５１に係着する構成にしたが、伸縮可能な脚を底部１５下面に設けて海底に立脚させる構成にしてもよい。
【符号の説明】
【００３３】
１      護岸補修用防波壁体
２      防波壁部
８      側面閉塞パネル
１２    閉塞材
１３    係止手段
１４    封止材
１５    底部
１５Ａ  水抜き穴
１５Ｂ  シャッター
１６    作業空間
１８    アンカー（係着手段）
５１    護岸
５２    壁面
【図１】
2015031093.tif 000003
【図２】
2015031093.tif 000004
【図３】
2015031093.tif 000005
【図４】
2015031093.tif 000006
【図５】
2015031093.tif 000007
【図６】
2015031093.tif 000008
【図７】
2015031093.tif 000009
【図８】
2015031093.tif 000010
【図９】
2015031093.tif 000011